【手続補正書】
【提出日】平成17年7月15日(2005.7.15)
【手続補正１】
【補正対象書類名】明細書
【補正対象項目名】全文
【補正方法】変更
【補正の内容】
【書類名】      明細書
【発明の名称】  遊技機
【特許請求の範囲】
【請求項１】  遊技に関する制御を行う制御基板を内部に収容するために箱状に形成されると共に遊技機本体に対して着脱自在に取着された複数の基板ボックスと、
基板ボックスを遊技機本体に施錠して固定するものであって特定の操作部材による操作に応じて施錠状態と解錠状態とを切り替える施錠装置とを備え、
前記複数の基板ボックスは、その施錠装置によって遊技機本体に施錠して固定される第１基板ボックスと、前記施錠装置によって遊技機本体に施錠して固定された状態における前記第１基板ボックスに係合して自己の取出方向側への移動が阻止される少なくとも１以上の第２基板ボックスとを備えており、
前記施錠装置は、前記特定の操作部材による操作に応じて作動すると共に遊技機本体から離脱不能な第１態様と離脱可能な第２態様とを選択的に形成して施錠状態と解錠状態とを切り替える可動片を有し、その可動片を遊技機本体に係合して遊技機本体の所定位置に取着される鍵ユニットで構成されており、
前記第１基板ボックスは、前記第１態様を形成しつつ前記所定位置に取着された前記鍵ユニットに係合して自己の取出方向側への移動が阻止されていることを特徴とする遊技機。
【請求項２】  前記第１基板ボックスと前記少なくとも１以上の第２基板ボックスとのそれぞれを、各基板ボックス毎に予め定められた取付位置から予め定められた経路に沿って移動可能に支持する支持手段を備え、
前記鍵ユニットは、前記第１態様を形成しつつその所定位置に取着された状態で、前記支持手段によって移動可能に支持された前記第１基板ボックスの移動軌跡内に突出して配設されており、
前記第１基板ボックスは、その取付位置に取着された状態から前記支持手段によって支持されつつ移動可能な移動軌跡内に突出して配設された前記鍵ユニットに係合して自己の取出方向側への移動が阻止される一方、前記鍵ユニットが遊技機本体から取出された場合に自己の取出方向側への移動の阻止が解除されて遊技機本体から取出されると共に、前記取付位置に取着された状態で前記支持手段によって移動可能に支持された前記少なくとも１以上の第２基板ボックスの移動軌跡内に突出して配設されており、
前記少なくとも１以上の第２基板ボックスは、それぞれの取付位置に取着された状態から前記支持部材に支持されつつ移動可能な移動軌跡内に突出して配設された前記第１基板ボックスに係合して自己の取出方向側への移動が阻止される一方、前記鍵ユニットと前記第１基板ボックスとの係合が解除されて前記第１基板ボックスが一定量以上取出方向側へ移動した場合に自己の取出方向側への移動の阻止が解除され遊技機本体から取出されるものであることを特徴とする請求項１記載の遊技機。
【請求項３】  前記支持手段は、前記鍵ユニットが遊技機本体から取出された状態であって、且つ、前記第１基板ボックスが前記取付位置から前記一定量取出方向側へ移動して前記第２基板ボックスの移動軌跡外に位置する第１位置より前記取付位置から大きく移動した第２位置まで前記第１基板ボックスを前記予め定められた方向に沿って移動可能に支持するものであり、
前記第１基板ボックス又は遊技機本体の一方に形成され前記第１基板ボックスの移動方向に沿って延設された溝状の係合溝と、前記第１基板ボックス又は遊技機本体の他方に形成され前記係合溝内に突出して嵌合される突部とを備え、その突部と前記係合溝とは、前記第１基板ボックスの移動方向に沿ってその第１基板ボックスが前記第２基板ボックスの移動軌跡内に突出した前記一定量の突出長さより長い区間にわたって前記第１基板ボックスをスライド可能に延設されていることを特徴とする請求項２記載の遊技機。
【請求項４】  遊技機本体の外形に沿って額縁状に形成される外枠と、その外枠に接続されると共にその外枠の一側辺をほぼ中心として遊技機の前面側へ揺動可能に軸支される揺動部材とを備え、
前記支持手段は、前記鍵ユニットによって施錠される前記複数の基板ボックスを前記揺動部材の背面側に連結支持すると共に、その複数の基板ボックスのうち少なくとも１以上の基板ボックスを前記揺動部材の回転軸に近接する方向へ向けてスライド移動した場合に前記揺動部材から離脱するように支持するものであることを特徴とする請求項２又は３に記載の遊技機。
【請求項５】  前記支持手段によって遊技機本体に揺動可能に軸支された前記第１基板ボックス又は第２基板ボックスと、遊技機本体とを連結保持してその第１基板ボックス又は第２基板ボックスの揺動方向側への移動を規制する留め具を備え、
その留め具は、前記複数の基板ボックスのうち遊技機本体に取着された状態で遊技機の下側に回転軸を設けて軸支された前記第１基板ボックス又は第２基板ボックスに設けられていることを特徴とする請求項２から４のいずれかに記載の遊技機。
【発明の詳細な説明】
【０００１】
【発明の属する技術分野】  本発明は、パチンコ機やスロットマシンに代表される遊技機に関するものである。
【０００２】
【従来の技術】  一般にパチンコ機等の遊技機は、遊技の制御を行う主制御基板、賞球や貸球の払い出し制御を行う払出制御基板、及び、賞球や貸球を払い出す払出装置のほか多数の部品により構成されている。この遊技機においては、各構成部品が故障した場合や、部品点検時の作業性等を考慮して、各構成部品が遊技機本体から取り外し可能に設けられている。
【０００３】
遊技機の構成部品のうち主制御基板や払出制御基板などは、簡易に取り外されると不正基板への交換による不正行為が簡単に行われてしまうので、特定の制御基板は、開閉操作が規制された基板ボックス内に収容されて不正に対する防犯性が高められているが、近年においては、制御基板を収容する基板ボックスごと、不正な部品に交換される不正行為が発生している。このため、本願出願人は、遊技機に設ける基板ボックスを施錠装置によって遊技機本体に施錠して固定し、特定の鍵を操作しなければ基板ボックスを遊技機本体から取出できない構造とすることを考えた。
【０００４】
【発明が解決しようとする課題】  しかしながら、複数の基板ボックスに対して個別に施錠装置を設けて基板ボックスを遊技機本体に施錠して固定すると、施錠を必要とする基板ボックスの個数分の施錠装置を増設しなければならず、部品点数が増加してしまうという問題点があった。
【０００５】
本発明は、上述した問題点を解決するためになされたものであり、小数の施錠装置でより多くの基板ボックスに対する遊技機本体からの取出を規制することができる遊技機を提供することを目的としている。
【０００６】
【課題を解決するための手段】  この目的を達成するために請求項１記載の遊技機は、遊技に関する制御を行う制御基板を内部に収容するために箱状に形成されると共に遊技機本体に対して着脱自在に取着された複数の基板ボックスと、基板ボックスを遊技機本体に施錠して固定するものであって特定の操作部材による操作に応じて施錠状態と解錠状態とを切り替える施錠装置とを備え、前記複数の基板ボックスは、その施錠装置によって遊技機本体に施錠して固定される第１基板ボックスと、前記施錠装置によって遊技機本体に施錠して固定された状態における前記第１基板ボックスに係合して自己の取出方向側への移動が阻止される少なくとも１以上の第２基板ボックスとを備えており、前記施錠装置は、前記特定の操作部材による操作に応じて作動すると共に遊技機本体から離脱不能な第１態様と離脱可能な第２態様とを選択的に形成して施錠状態と解錠状態とを切り替える可動片を有し、その可動片を遊技機本体に係合して遊技機本体の所定位置に取着される鍵ユニットで構成されており、前記第１基板ボックスは、前記第１態様を形成しつつ前記所定位置に取着された前記鍵ユニットに係合して自己の取出方向側への移動が阻止されている。
【０００７】
請求項１記載の遊技機によれば、施錠装置によって第１基板ボックスが遊技機本体に施錠して固定された状態においては、第２基板ボックスは、施錠装置によって遊技機本体に施錠して固定された状態における第１基板ボックスに係合して自己の取出方向側への移動が阻止される。つまり、第１基板ボックスと、第２基板ボックスとは、共に共通の施錠装置を施錠することにより取出方向側への移動が阻止されており、遊技機本体からの取出が規制された状態で遊技機本体に取着される。
【０００８】
施錠装置によって遊技機本体からの取出が規制された複数の基板ボックスを遊技機本体から取出する作業者は、特定の操作部材を操作することにより、施錠装置を施錠状態から解錠状態に切り替えて、遊技機本体に施錠して固定されていた第１基板ボックスを遊技機本体から取出する。第１基板ボックスが遊技機本体から取出されると、第１基板ボックスと第２基板ボックスとの係合が解除され、第２基板ボックスは、自己の取出方向側への移動阻止が解除されて遊技機本体から取出される。
【０００９】
施錠装置を使用して複数の基板ボックスを遊技機本体に取着する作業者は、第２基板ボックスを遊技機本体に取着した後、その第２基板ボックスに第１基板ボックスを係合させつつ第１基板ボックスを遊技機本体に取着する。更に、作業者は、特定の操作部材を操作して施錠装置を施錠状態に切り替えることにより、第１基板ボックスを遊技機本体に施錠して固定する。第１基板ボックスが遊技機本体に施錠して固定されると、第１基板ボックスと第２基板ボックスとは、共に遊技機本体からの取出が規制されつつ遊技機本体に取着される。
請求項２記載の遊技機は、請求項１記載の遊技機において、前記第１基板ボックスと前記少なくとも１以上の第２基板ボックスとのそれぞれを、各基板ボックス毎に予め定められた取付位置から予め定められた経路に沿って移動可能に支持する支持手段を備え、前記鍵ユニットは、前記第１態様を形成しつつその所定位置に取着された状態で、前記支持手段によって移動可能に支持された前記第１基板ボックスの移動軌跡内に突出して配設されており、前記第１基板ボックスは、その取付位置に取着された状態から前記支持手段によって支持されつつ移動可能な移動軌跡内に突出して配設された前記鍵ユニットに係合して自己の取出方向側への移動が阻止される一方、前記鍵ユニットが遊技機本体から取出された場合に自己の取出方向側への移動の阻止が解除されて遊技機本体から取出されると共に、前記取付位置に取着された状態で前記支持手段によって移動可能に支持された前記少なくとも１以上の第２基板ボックスの移動軌跡内に突出して配設されており、前記少なくとも１以上の第２基板ボックスは、それぞれの取付位置に取着された状態から前記支持部材に支持されつつ移動可能な移動軌跡内に突出して配設された前記第１基板ボックスに係合して自己の取出方向側への移動が阻止される一方、前記鍵ユニットと前記第１基板ボックスとの係合が解除されて前記第１基板ボックスが一定量以上取出方向側へ移動した場合に自己の取出方向側への移動の阻止が解除され遊技機本体から取出されるものである。
請求項３記載の遊技機は、請求項２記載の遊技機において、前記支持手段は、前記鍵ユニットが遊技機本体から取出された状態であって、且つ、前記第１基板ボックスが前記取付位置から前記一定量取出方向側へ移動して前記第２基板ボックスの移動軌跡外に位置する第１位置より前記取付位置から大きく移動した第２位置まで前記第１基板ボックスを前記予め定められた方向に沿って移動可能に支持するものであり、前記第１基板ボックス又は遊技機本体の一方に形成され前記第１基板ボックスの移動方向に沿って延設された溝状の係合溝と、前記第１基板ボックス又は遊技機本体の他方に形成され前記係合溝内に突出して嵌合される突部とを備え、その突部と前記係合溝とは、前記第１基板ボックスの移動方向に沿ってその第１基板ボックスが前記第２基板ボックスの移動軌跡内に突出した前記一定量の突出長さより長い区間にわたって前記第１基板ボックスをスライド可能に延設されている。
請求項４記載の遊技機は、請求項２又は３に記載の遊技機において、遊技機本体の外形に沿って額縁状に形成される外枠と、その外枠に接続されると共にその外枠の一側辺をほぼ中心として遊技機の前面側へ揺動可能に軸支される揺動部材とを備え、前記支持手段は、前記鍵ユニットによって施錠される前記複数の基板ボックスを前記揺動部材の背面側に連結支持すると共に、その複数の基板ボックスのうち少なくとも１以上の基板ボックスを前記揺動部材の回転軸に近接する方向へ向けてスライド移動した場合に前記揺動部材から離脱するように支持するものである。
請求項５記載の遊技機は、請求項２から４のいずれかに記載の遊技機において、前記支持手段によって遊技機本体に揺動可能に軸支された前記第１基板ボックス又は第２基板ボックスと、遊技機本体とを連結保持してその第１基板ボックス又は第２基板ボックスの揺動方向側への移動を規制する留め具を備え、その留め具は、前記複数の基板ボックスのうち遊技機本体に取着された状態で遊技機の下側に回転軸を設けて軸支された前記第１基板ボックス又は第２基板ボックスに設けられている。
【００１０】
【発明の効果】  請求項１記載の遊技機によれば、施錠装置によって遊技機本体に施錠して固定される第１基板ボックスには、第２基板ボックスが係合され、その係合によって第２基板ボックスの取出方向側への移動が阻止される。よって、共通の施錠装置を使用して、第１基板ボックスと第２基板ボックスとに対する遊技機本体からの取出を規制することができ、小数の施錠装置でより多くの基板ボックスに対する遊技機本体からの取出を規制することができるという効果がある。
また、第２基板ボックスの取出方向側への移動を阻止する第１基板ボックスは、所定位置に取着された鍵ユニットに係合して自己の取出方向側への移動が阻止されているので、鍵ユニットによって第１基板ボックスを遊技機本体に施錠して固定することができる。また、施錠装置としての鍵ユニットは、特定の操作部材による操作に応じて遊技機本体から離脱不能な第１態様と離脱可能な第２態様とを選択的に形成する可動片を有しているので、特定の操作部材を操作して鍵ユニットを遊技機本体から簡易に取出することができ、鍵ユニットのリサイクル性を高めることができる。よって、１の遊技機に鍵ユニットを増設して不正行為に対する防犯性を高めつつ、１の鍵ユニットを繰り返して使用することによりその増設によるコストの増加を抑制することができるという効果がある。
請求項２記載の遊技機によれば、請求項１記載の遊技機の奏する効果に加え、第１基板ボックスと第２基板ボックスとのそれぞれは、支持手段によって予め定められた取付位置から予め定めた経路に沿って移動可能に支持されるので、各基板ボックスの移動方向を限定することができる。このため、その限定された移動方向に沿った移動軌跡内に相手部品を突出させることにより、鍵ユニットと第１基板ボックスとの係合及びその係合解除、並びに、第１基板ボックスと第２基板ボックスとの係合及びその係合解除を簡易且つ確実に行わせることができるという効果がある。
請求項３記載の遊技機によれば、請求項２記載の遊技機の奏する効果に加え、第１基板ボックスが第２基板ボックスの移動軌跡外に位置する第１位置に移動された場合には、第１基板ボックスによる第２基板ボックスの移動規制が解除されるので、作業者は、第２基板ボックスを遊技機本体から取出することができる。このとき、第１位置に移動された第１基板ボックスは、第１位置より取付位置から大きく移動した第２位置まで支持手段によって予め定められた経路に沿って移動可能に支持されるので、支持手段を介して第１基板ボックスを遊技機本体に連結させつつ第２基板ボックスのみを遊技機本体から取出することができる。よって、第２基板ボックスのみを取出しようとする際にわざわざ第１基板ボックスを遊技機本体から取り外す必要がなく、第２基板ボックスの取出時における作業性を向上することができるという効果がある。
また、第１基板ボックス又は遊技機本体の一方には、第１基板ボックスの移動方向に沿って溝状の係合溝が形成されると共に、その係合溝内に突出して嵌合される突部が第１基板ボックス又は遊技機本体の他方に設けられているので、支持手段によって遊技機本体に対して第１基板ボックスをその移動方向に沿ってスライド移動可能に支持することができるという効果がある。また、支持手段を構成する突部と係合溝とは、第１基板ボックスが第２基板ボックスの移動軌跡内に突出した突出長さより長い区間にわたって第１基板ボックスをスライド可能に延設されているので、第１基板ボックスを第２基板ボックスの移動軌跡外に位置させた後も突部と係合溝との係合状態を維持して、第２基板ボックスのみを取出しようとする際に第１基板ボックスを遊技機本体に係合させておくことができるという効果がある。
請求項４記載の遊技機によれば、請求項２又は３に記載の遊技機の奏する効果に加え、外枠に対して揺動部材を前面側へ揺動し、揺動部材の背面側に対する作業を施す場合、揺動部材の回転軸に近接する側は、外枠と揺動部材とによって形成される開口の奥側に位置するために作業がし難いものである。本発明によれば、複数の基板ボックスのうち少なくとも１以上の基板ボックスは、揺動部材の回転軸から近接する側へ向けてスライド移動した場合に揺動部材から離脱するように支持されているので、基板ボックスの取出作業が煩雑になり、不正な基板ボックスへの交換を困難にすることができるという効果がある。
請求項５記載の遊技機によれば、請求項２から４のいずれかに記載の遊技機の奏する効果に加え、基板ボックスの揺動方向側への移動を規制する留め具が、遊技機の下側に回転軸を設けて軸支された基板ボックスに設けられるので、鍵ユニット又は基板ボックスとの係合が解除されて下方に揺動可能となった基板ボックスの回転を留め具で規制して安定した状態とすることができ、基板ボックスが回転して他の部材に衝突することを未然に防止することができるという効果がある。
【００１１】
【発明の実施の形態】  以下、本発明の好ましい実施例について、添付図面を参照して説明する。本実施例では、遊技機の一例として弾球遊技機の一種であるパチンコ機、特に、第１種パチンコ遊技機を用いて説明する。なお、本発明を第３種パチンコ遊技機や他の遊技機に用いることは、当然に可能である。
【００１２】
図１は、本実施例におけるパチンコ機１の正面図である。パチンコ機１の前面には前面枠２が配設されており、その略中央部分には略矩形状の開口２ａが穿設され、かかる開口２ａの内周には金枠３が周設されている。この金枠３の内側の上方には、２枚のガラス板が装着されたガラス扉枠４が開閉可能に配設されており、ガラス扉枠４の後方に遊技盤５が配置されている。
【００１３】
遊技盤５の前面には略円弧状の外レール６が植立され、その外レール６の内側位置には円弧状の内レール７が植立されている。この内レール７と外レール６とにより囲まれた遊技盤５の前面には、球が打ち込まれる遊技領域８が形成されており、その遊技領域８の周囲には、１の球が入賞することにより５個から１５個の球が賞球として払い出される複数の入賞口９が配設されている。遊技領域８の略中央部分には、複数種類の識別情報としての図柄などを変動表示する液晶ディスプレイ（以下単に「ＬＣＤ」と略す）１０を備えた可変表示装置１１が配設されている。なお、ＬＣＤ１０に代えて、例えば、リール等を用いて可変表示装置を構成するようにしても良い。
【００１４】
可変表示装置１１の下方には、図柄作動口（第１種始動口）１２が配設されている。この図柄作動口１２へ球が入賞すると、第１種始動口スイッチがオンして、上述したＬＣＤ１０で変動表示が開始されると共に、５個の球が賞球として払い出される。また、図柄作動口１２の下方には可変入賞装置１３が配設されており、その略中央部分に特定入賞口（大入賞口）１３ａが設けられている。この特定入賞口１３ａは、ＬＣＤ１０の変動後の表示結果が予め定められた図柄の組み合わせの１つと一致する場合に大当たりとなって、球が入賞し易いように所定時間（例えば、３０秒経過するまで、或いは、球が所定個数１０個入賞するまで）開放される入賞口である。
【００１５】
この特定入賞口１３ａ内には、Ｖゾーン１３ｂが設けられており、特定入賞口１３ａの開放中に、球がＶゾーン１３ｂを通過すると、継続権が成立して、特定入賞口１３ａの閉鎖後、再度、その特定入賞口１３ａが所定時間開放される。この特定入賞口１３ａの開閉動作は、最高で１６回（１６ラウンド）繰り返し可能にされており、開閉動作の行われ得る状態が、いわゆる所定の遊技価値が付与された状態（特別遊技状態）である。
【００１６】
尚、第３種パチンコ遊技機において所定の遊技価値が付与された状態（特別遊技状態）とは、ＬＣＤ１０の変動後の表示結果が予め定められた図柄の組み合わせの１つと一致する場合に、特定入賞口が所定時間開放されることをいう。この特定入賞口の開放中に、球がその特定入賞口内へ入賞すると、特定入賞口とは別に設けられた大入賞口が所定時間、所定回数開放される。
【００１７】
かかる可変入賞装置１３の下方であって、遊技領域８の最下方には、いずれの入賞口にも入賞しなかった球を遊技領域８外へ排出するためのアウト口１４が形成されている。
【００１８】
アウト口１４の下方、即ちガラス扉枠４の下方には、金枠３に開閉可能に取着された前面扉板（腰板）１５が配設されている。この前面扉板１５の前面（図１の紙面垂直方向手前側）には、球を貯留すると共に球発射装置（図示せず）へ球を供給するための上皿１６が配設され、その上皿１６の下方であって、前面枠２の下側部分には上皿１６に貯留しきれなかった球を貯留するための下皿１７が配設されている。下皿１７の右側には、球を遊技領域８へ打ち込むために遊技者によって操作される操作ハンドル１８が配設され、かかる操作ハンドル１８の内部には球発射装置の発射用モータを駆動させるためのハンドルスイッチ１８ａが内蔵されている。
【００１９】
次に、図２から図４を参照して、パチンコ機１の背面側に配設される部品について説明する。図２は、パチンコ機１の背面図である。図３は、パチンコ機１の背面に配設される第１基板ボックス４１を機構板２０に施錠して固定すると共に他の基板ボックス４２〜４４の機構板２０（パチンコ機１）からの取出を規制するための鍵ユニット３０を示しており、図３（ａ）は、施錠状態における鍵ユニット３０の斜視図であり、図３（ｂ）は、解錠状態における鍵ユニット３０の斜視図である。図４（ａ）は、基板カバー２１が開放された状態における機構板２０に取着された鍵ユニット３０と基板ボックス４１〜４４とを示した背面図であり、図４（ｂ）は、図４（ａ）のＩＶｂ−ＩＶｂ線における断面図である。
【００２０】
なお、図面の理解を容易にするために、図４（ａ）及び図４（ｂ）においては基板ボックス４１〜４４の取着に関する主要な部材のみを示している。又、図４（ｂ）においては鍵ユニット３０を断面視しないで示すと共に、基板ボックス４１，４２の外形のみを示し、基板ボックス４１，４２の開閉構造やその内部に収容される制御基板を省略して示している。又、図２及び図４においては、各基板ボックス４１〜４４間を電気的に接続して情報等を伝達するケーブルを省略して示している。
【００２１】
パチンコ機１の背面側には、図２に示すように、略平板状の機構板２０が図示しないヒンジ部材を介して前面枠２に揺動可能に軸支されると共に、作業者による押圧操作によって複数の部材を連結する留め具（ラッチ）を使用して前面枠２に一体化されている。この機構板２０には、パチンコ機１の背面に取着される基板ボックス４１〜４４や、賞球や貸球を払い出す払出装置などの多数の構成部品がビスやラッチ等により固定されており、各構成部品は必要に応じて着脱自在に取着されている。この機構板２０は、パチンコ機１の外形に沿って略矩形の額縁状に形成された外枠１ａに対し、上下一対に設けられたヒンジ部材１ｂ（図１参照）を介して外枠１ａに連結される前面枠２と共に、パチンコ機１の前面側に向けて揺動可能に軸支されている。この機構板２０の略中央部には、略矩形状の基板カバー２１が配設されている。
【００２２】
基板カバー２１は、パチンコ機１の前面側（図２の紙面垂直方向奥側）に向けて開放された箱状に形成され、その内部には、４つの基板ボックス４１〜４４が収容されている。基板カバー２１は、背面視右側に設けられた揺動軸２１ａが機構板２０に軸支されることにより、パチンコ機１の背面側（図２の紙面垂直方向手前側）に向けて開放可能に支持されている。また、基板カバー２１は、通常時には、図示しないラッチによって機構板２０に固定され、閉鎖されている。
【００２３】
基板カバー２１の内部には、図２に示すように、背面視略矩形状に形成された４つの基板ボックス４１〜４４が配設されている。これら４つの基板ボックス４１〜４４は、その中段に左右に隣り合って配設された２つの基板ボックス（第１基板ボックス４１及び第２基板ボックス４２）と、その上段及び下段に１つずつ配設された基板ボックス（第３基板ボックス４３及び第４基板ボックス４４）とで構成されている。これら４つの基板ボックス４１〜４４は、パチンコ機１の背面側に配設された機構板２０によって各基板ボックス４１〜４４毎に定められた取付位置に支持されている。
【００２４】
機構板２０に支持された４つの基板ボックス４１〜４４は、図示しないケーブルを介して電気的に接続されており、各基板ボックス４１〜４４の内部には、遊技に関する制御を行う制御基板がそれぞれ収容されている。また、４つの基板ボックス４１〜４４のうち第１基板ボックス４１の背面視左側には、鍵ユニット３０が配設されており、この鍵ユニット３０は、専用鍵Ｋの操作によって機構板２０から離脱可能に取着されている。なお、各基板ボックス４１〜４４の構造については、公知の構造を使用するものであり、例えば、一面が開放した箱状部材に蓋を設け、その蓋を専用のビスやシールなどで固定した構造が例示される。
【００２５】
ここで、図３を参照して、本実施例のパチンコ機１に使用される鍵ユニット３０について説明する。鍵ユニット３０は、第１基板ボックス４１に隣接して配設され、第１基板ボックス４１を機構板２０に施錠して固定すると共に他の基板ボックス４２〜４４のパチンコ機１からの取出を規制するための部材である。この鍵ユニット３０は、図３（ａ）に示すように、一端側に鍵穴３１ａが設けられた筒状の本体部材３１と、その本体部材３１の背面側に配置され本体部材３１に回動可能に支持される可動片３２とを備えている。
【００２６】
鍵ユニット３０の本体部材３１は、図３（ａ）に示すように、筒状に形成されると共に、その前面側の端面（鍵穴形成壁３１ｄ）に鍵穴３１ａが穿設されたものである。この本体部材３１の前面側の外周面は、鍵穴３１ａ正面視において略円形に形成されている。また、鍵穴３１ａから離間した背面側の外周面は、前面側の円形断面を平行な２辺で切り欠いた略小判形の断面形状に形成されており、本体部材３１の前面側に左右両側に突設した突出部３１ｂが形成されている。
【００２７】
本体部材３１の突出部３１ｂは、機構板２０に穿設された鍵取付穴２０ａへ鍵ユニット３０が差し込まれた場合に、鍵取付穴２０ａの周縁を形成する周縁部２０ｂに当接してその移動を規制するための部位である。この突出部３１ｂに機構板２０の鍵取付穴２０ａの周縁部２０ｂが係合することにより、鍵ユニット３０が鍵取付穴２０ａの奥側へ相対的に移動することが規制される（図４（ｂ）参照）。また、この突出部３１ｂが機構板２０の表面からパチンコ機１の背面側に突出し、隣接して配設される第１基板ボックス４１に係合して第１基板ボックス４１の鍵ユニット３０側への移動が阻止される。
【００２８】
本体部材３１の背面側には、図３（ａ）に示すように、円筒の両端側を平滑な平面で切り欠いて形成された切り欠き部３１ｃが設けられている。この切り欠き部３１ｃは、機構板２０の鍵取付穴２０ａに本体部材３１が差し込まれた状態において本体部材３１の回動を阻止させるための部位である。機構板２０の鍵取付穴２０ａに差し込まれた状態における本体部材３１の回動は、その鍵取付穴２０ａの一部が本体部材３１の切り欠き部３１ｃに当接することにより規制される。
【００２９】
本体部材３１の内部には、鍵穴３１ａの軸方向に沿った円筒状の空間が形成されており、鍵穴３１ａは、その空間を形成する前面側の壁（鍵穴形成壁３１ｄ）に穿設されている。鍵穴３１ａの中へ専用鍵Ｋの先端部が挿入されてから専用鍵Ｋが回動されると、専用鍵Ｋの先端部が鍵穴形成壁３１ｄに係合し、その専用鍵Ｋが本体部材３１から抜き出し不能となる。この係合は、図３（ａ）に示すように、下方に突出して形成された専用鍵Ｋの先端部が、鍵穴形成壁３１ｄの内側で回転した後に鍵穴形成壁３１ｄの内側に係合することにより行われる（図３（ｂ）参照）。
【００３０】
なお、専用鍵Ｋの先端部は、必ずしも一方に突出して形成される必要はなく、差込方向に沿って起伏して形成されていれば良い。鍵穴に差し込まれた専用鍵が回動した時に、その起伏の凹みに対応した位置に嵌合される突部を本体部材に設けることにより、専用鍵Ｋの先端部を鍵ユニットの本体部材に係合させて抜き出し不能な状態を形成することができる。
【００３１】
専用鍵Ｋの回動後、専用鍵Ｋと鍵穴３１ａとの相対位置が専用鍵Ｋの挿入時と一致した場合（例えば、専用鍵Ｋの挿入後に一方に回動させた分だけ逆方向に回動させた場合）には、専用鍵Ｋの先端部の突出方向が、鍵穴形成壁３１ｄの鍵穴３１ａの長手方向（図３の上下方向）に一致し、専用鍵Ｋは鍵穴３１ａから抜き出し可能となる。
【００３２】
鍵ユニット３０の可動片３２は、図３（ａ）に示すように、本体部材３１に対して鍵穴３１ａの反対側に配設されており、鍵穴３１ａに挿入した専用鍵Ｋを回動操作することにより本体部材３１に対して回動する。この可動片３２は、図３（ｂ）に示す状態（解錠状態）において、隣接する本体部材３１の一部分と略同一の外周面形状に形成されている。具体的には、図３（ｂ）に示すように、可動片３２とその可動片３２に隣接する本体部材３１の一部分の外周面形状は、可動片３２の回転軸（回転中心）に対して上下方向に突出した両端部３２ａによって形成される外周面と、その両端部３２ａの外周面より可動片３２の回転軸に近接した外周面であって本体部材３１の切り欠き部３１ｃに連続して形成される外周面とを備えている。専用鍵Ｋの回動操作に連動して可動片３２が回動した場合には、鍵穴３１ａの軸方向視において、可動片３２の両端部３２ａは、その両端部３２ａの外周面より可動片３２の回転軸に近接した外周面を形成する本体部材３１の切り欠き部３１ｃより外側に突出する。
【００３３】
この可動片３２の両端部３２ａは、機構板２０の鍵取付穴２０ａに鍵ユニット３０が差し込まれた後、鍵取付穴２０ａの周縁部２０ｂに係合し、鍵ユニット３０が機構板２０の鍵取付穴２０ａから前面側（鍵穴３１ａ側）へ離脱不能な状態を形成する。また、可動片３２の両端部３２ａは、専用鍵Ｋの回動操作により鍵穴３１ａの軸方向視において隣接する本体部材３１と一致する場合に、機構板２０の周縁部２０ｂに係合することなく、鍵ユニット３０が鍵取付穴２０ａから離脱可能な状態を形成する。つまり、可動片３２の両端部３２ａは、専用鍵Ｋの操作に連動して相手部品との係合状態を変化させ、鍵ユニット３０の施錠状態及び解錠状態を形成する。
【００３４】
また、可動片３２は、連結軸を介して本体部材３１の内部に配設される回動部材３２ｂと連結されている。この回動部材３２ｂには、鍵穴３１ａの正面視において鍵穴３１ａと略同一の大きさに形成された穴（図示せず）が穿設されており、図３（ａ）に示す施錠状態においては、その穴が鍵穴３１ａに連続して専用鍵Ｋを出入可能な状態とする。一方、施錠状態から専用鍵Ｋを回動操作して回動部材３２ｂが回動され、回動部材３２ｂの穴と鍵穴３１ａとの位置がずれると、専用鍵Ｋの先端部が本体部材３１の鍵穴形成壁３１ｄに係合し、その専用鍵Ｋが本体部材３１から抜き出し不能となる。即ち、鍵ユニット３０を施錠状態としなければ鍵穴３１ａから専用鍵Ｋを抜き出すことができず、施錠操作を行う作業者は、専用鍵Ｋに鍵ユニット３０が一体化されているか否かに基づいて施錠状態を一見して判断することができる。
【００３５】
なお、可動片３２に連結される回動部材３２ｂは、一般的な鍵ユニット（施錠装置）と同一の構造を有して専用鍵Ｋの回動操作を可能とするものであれば良い。例えば、回動部材３２ｂは、鍵穴３１ａに挿入される鍵が予め定めた所定の凹凸形状に形成された先端部を有する専用鍵Ｋである場合にのみ回動し、先端部の形状が所定の凹凸形状とは異なる鍵によっては回動部材３２ｂの回動が阻止されるものであっても良く、又は電磁的に予め対応付けされた専用鍵に対してのみ回動し、対応付けされていない他の鍵に対しては回動が阻止されるものであっても良い。
【００３６】
また、可動片３２の突出部３２ａは、必ずしも本体部材に対して可動片３２を回動させて切り欠き部３１ｃより外側に突出させる必要はなく、本体部材によって可動片をスライド移動可能に支持し、専用鍵の操作に応じて鍵ユニットの外周面から可動片を突出させて鍵ユニットの施錠状態を形成するものであっても良い。また、必ずしも専用鍵Ｋの操作によってパチンコ機１から取出することができる鍵ユニットを施錠装置とする必要はなく、機構板２０と第１基板ボックス４１とのいずれか一方にネジ又は接着材等によって固設される一般的なシリンダ錠を施錠装置とし、専用鍵の操作に応じて突出する可動片を他方の部材に係合させて機構板２０と第１基板ボックス４１とを施錠して固定するものであっても良い。
【００３７】
次に、図４を参照して、鍵ユニット３０によって第１基板ボックス４１が機構板２０に施錠して固定された構造について説明する。第１基板ボックス４１は、図４（ａ）に示すように、遊技の制御を行う主制御基板を内部に収容するために背面視略矩形状の箱状に形成されている。この第１基板ボックス４１は、機構板２０からパチンコ機１の背面側（図４（ａ）の紙面垂直方向手前側）に突設され左右方向に延設された２本のレール２０ｃによって左右方向（図４（ａ）の左右方向）にスライド移動可能に支持されている。
【００３８】
この機構板２０のレール２０ｃは、機構板２０からパチンコ機１の背面側に突設されており、レール２０ｃには、第１基板ボックス４１側に向けて開口された側面視コの字状の係合溝２０ｄが第１基板ボックス４１の上下２箇所に形成されている（図６（ｂ）参照）。また、第１基板ボックス４１の上下両側には、レール２０ｃの係合溝２０ｄ内に突設されると共に左右方向に沿って延設された突部４１ａが形成されている。この第１基板ボックス４１の突部４１ａと、機構板２０のレール２０ｃ（係合溝２０ｄ）とが係合し、第１基板ボックス４１は、その突部４１ａがレール２０ｃの係合溝２０ｄに沿って案内される左右方向に沿ってスライド移動可能とされている。
【００３９】
また、機構板２０のレール２０ｃによる第１基板ボックス４１の支持は、図４（ａ）に示す取付位置から、第１基板ボックス４１の突部４１ａ右端が機構板２０のレール２０ｃ左側端部に位置する区間にわたって行われる。即ち、第１基板ボックス４１は、図４（ａ）に示す取付位置から突部４１ａの右端とレール２０ｃの左端との距離Ｌ１分だけ左方にスライド移動可能に支持される。
【００４０】
この第１基板ボックス４１の左側には、図４（ｂ）に示すように、機構板２０に離脱不能に取着された施錠状態の鍵ユニット３０が配設されている。機構板２０には、鍵ユニット３０を差し込み可能に鍵ユニット３０（本体部材３１）の外周面と略同一形状の小判形断面に穿設された鍵取付穴２０ａが設けられており、その鍵取付穴２０ａの内側に鍵ユニット３０が配設される。
【００４１】
鍵ユニット３０が施錠状態（図４（ｂ）に示す状態）にある場合には、鍵ユニット３０の差し込み方向（図４（ｂ）の下方）に沿った両端部において左右両側に突出した部位（本体部材３１の突出部３１ｂ及び可動片３２の両端部３２ａ）により機構板２０の表裏両面（周縁部２０ｂ）に係合し、機構板２０に対して鍵ユニット３０が離脱不能に取着される。
【００４２】
機構板２０の鍵取付穴２０ａに鍵ユニット３０が取着された状態においては、図４（ｂ）に示すように、鍵ユニット３０の突出部３１ａがパチンコ機１の背面側（図４（ｂ）の上側）に突出して配置される。機構板２０のレール２０ｃによって案内される第１基板ボックス４１は、その移動方向側（左側）に配置される鍵ユニット３０に係合し、その左側への移動が阻止される。また、機構板２０のレール２０ｃによって案内される第１基板ボックス４１の右側への移動は、第３基板ボックス４３と第４基板ボックス４４との突出片４３ｂ，４４ｂに当接することによって阻止される。つまり、第１基板ボックス４１は、鍵取付穴２０ａに取着された施錠状態の鍵ユニット３０を解錠して取出しなければ機構板２０から取出することができない状態となっている。よって、第１基板ボックス４１を機構板２０から取出するには、専用鍵Ｋを使用しなければならず、不正を目的として第１基板ボックスごと、不正な部品に交換される不正行為を防止することができる。
【００４３】
なお、機構板２０に取着される鍵ユニット３０の配置位置は、必ずしも第１基板ボックス４１の移動方向側に隣接した位置とする必要はなく、第１基板ボックス４１の移動軌跡内に突出して配置されれば良い。例えば、第１基板ボックス４１に背面視円形であって鍵ユニット３０を差込可能な穴を穿設し、その穴に挿通させつつ機構板２０に鍵ユニットを取着しても良い。
【００４４】
ここで、図４を参照して、鍵ユニット３０によって施錠された第１基板ボックス４１を取出する作業について説明する。第１基板ボックス４１を機構板２０から取出する場合には、作業者は、専用鍵Ｋの先端部を鍵穴３１ａに挿入し、時計回り方向に専用鍵Ｋを略９０度回動する。作業者の操作により専用鍵Ｋが回動されると、その回動に連動して可動片３２が回動し、本体部材３１の切り欠き部３１ｃより外方に突出していた可動片３２の両端部３２ａが切り欠き部３１ｃより内側に収められて解錠状態（図３（ｂ）の状態）となる。この解錠状態においては、可動片３２の両端部３２ａが機構板２０の鍵取付穴２０ａ内に挿通可能となり、鍵ユニット３０は機構板２０から離脱可能な状態となる。
【００４５】
鍵ユニット３０を解錠した後、作業者は、専用鍵Ｋを鍵取付穴２０ａから離間させる。専用鍵Ｋの先端部には、解錠状態の鍵ユニット３０が鍵穴形成壁３１ｄに係合して一体化され、専用鍵Ｋと共に鍵ユニット３０が機構板２０から離脱する。よって、作業者は、わざわざ鍵ユニット３０を鍵取付穴２０ａから単体で取出する必要がなく、鍵ユニット３０を容易に鍵取付穴２０ａから取出することができる。
【００４６】
鍵ユニット３０が鍵取付穴２０ａから取出されると、第１基板ボックス４１の左方への移動の阻止が解除され、作業者は、第１基板ボックス４１を背面視左方へスライド移動する。作業者によって、第１基板ボックス４１が背面視左方に向けて取付位置から距離Ｌ１分スライドされると、第１基板ボックス４１の突部４１ａと機構板２０のレール２０ｃとの係合が解除され、第１基板ボックス４１は、機構板２０から離脱して取出される。
【００４７】
ここで、遊技場に設置された状態のパチンコ機１から第１基板ボックス４１を取出する場合には、作業者は、パチンコ機１の前面枠２を外枠１ａに対して前面側に開放した状態で取出作業を実行する。このとき、外枠１ａに対して背面視右側で軸支された前面枠２は、その背面視左側が大きく開口される。第１基板ボックス４１は、その大きく開口された背面視左側へ向けて移動することにより機構板２０から離脱して取出されるので、より作業スペースの広い作業者の手前側へ引き出して第１基板ボックス４１を機構板２０から離脱させることができ、第１基板ボックス４１の取出時における作業性を向上することができる。
【００４８】
なお、必ずしも第１基板ボックス４１を背面視左側へ向けてスライド移動した場合に機構板２０から離脱する構成とする必要はなく、第１基板ボックス４１と鍵ユニット３０の取着位置を左右に反転させて、背面視右側へ向けてスライド移動した場合に機構板２０から第１基板ボックス４１が離脱するように構成しても良い。作業スペースの狭い奥側へ第１基板ボックス４１を押し込むことにより、機構板２０から第１基板ボックス４１が離脱するので、第１基板ボックス４１の取出作業が煩雑になり、不正な基板ボックスへの交換を目的とした不正行為をし難くすることができる。
【００４９】
一方、第１基板ボックス４１を取出した後、パチンコ機１に第１基板ボックス４１を取着する場合には、第１基板ボックス４１の突部４１ａの右端と機構板２０のレール２０ｃの左端とを係合し、その後、第１基板ボックス４１を背面視右方にスライド移動する。作業者によって、第１基板ボックス４１が背面視右方に向けて距離Ｌ１分スライドされると、第１基板ボックス４１は、第３基板ボックス４３及び第４基板ボックス４４の突出片４３ｂ，４４ｂに当接して取付位置に配置される。
【００５０】
その後、作業者は、第１基板ボックス４１の左側に露出される機構板２０の鍵取付穴２０ａに向けて専用鍵Ｋを操作しつつ解錠状態（図３（ｂ）の状態）の鍵ユニット３０を差し込み、鍵取付穴２０ａの周縁部２０ｂと鍵ユニット３０の本体部材３１の突出部３１ｂとを当接させた後、専用鍵Ｋを反時計回りに略９０度回動操作する。作業者により専用鍵Ｋが回動操作されると、専用鍵Ｋの回動に連動して鍵ユニット３０の回動部材３２ｂが回動し、可動片３２の両端部３２ａが突出して施錠状態（図３（ａ）の状態）となる。鍵ユニット３０が施錠状態になると、図４（ｂ）に示すように、可動片３２の両端部３２ａが機構板２０の周縁部２０ｂに係合して、可動片３２と機構板２０とが係合された状態となり、機構板２０に対して鍵ユニット３０が離脱不能に取着される。
【００５１】
施錠状態の鍵ユニット３０は、機構板２０の外縁部２０ｂに抜き出し方向への移動が規制されており、また、鍵ユニット３０の鍵穴形成壁３１ｄと専用鍵Ｋの先端部との係合が解除されて鍵穴３１ａから専用鍵Ｋを抜き出し可能な状態となっている。作業者は、専用鍵Ｋを引くことにより、鍵ユニット３０を機構板２０に取着させつつ鍵ユニット３０の鍵穴３２ａから専用鍵Ｋだけを抜き出して、施錠操作を終了する。
【００５２】
ここで、作業者が専用鍵Ｋを回動操作し忘れて鍵ユニット３０が施錠状態になっていない場合には、鍵ユニット３０の鍵穴形成壁３１ｄと専用鍵Ｋの先端部との係合が解除されないので、鍵ユニット３０と専用鍵Ｋとが一体に抜き出され、施錠されていないことが確実に作業者に示される。よって、施錠のし忘れを確実に防止することができる。
【００５３】
次に、図４を参照して、第２基板ボックス４２が機構板２０に固定される構造について説明する。第２基板ボックス４２は、第１基板ボックス４１に収容される主制御基板が出力する制御用コマンドに基づいて賞球や貸球の払出制御を行う払出制御基板を内部に収容するために背面視略矩形状の箱状に形成されている。この第２基板ボックス４２には、図４（ｂ）に示すように、その右側に突設されると共に機構板２０に固定された揺動軸２０ｅを巻回する形状に形成された係合片４２ａが、パチンコ機１の上下方向（図４（ｂ）の紙面垂直方向）に沿って断続的に複数箇所に形成されている。その係合片４２ａが機構板２０に固定された揺動軸２０ｅに係合して、第２基板ボックス４２は、機構板２０に揺動可能に支持される。
【００５４】
また、第２基板ボックス４２の係合片４２ａは、図４（ｂ）に示すように、断面視において上側が開放された鉤状に形成されており、その開放部が揺動軸２０ｂを通過可能な隙間を形成している。この係合片４２ａの開放部は、第２基板ボックス４２を機構板２０から分離させるための部位である。第２基板ボックス４２が揺動軸２０ｂを中心に回動された状態で、係合片４２ａの開放部から揺動軸２０ｂを通過させると、第２基板ボックス４２の係合片４２ａと揺動軸２０ｂとの係合が解除され、第２基板ボックス４２は、機構板２０から離脱して取出される。
【００５５】
機構板２０には、図４（ａ）に示すように、第１基板ボックス４１と第２基板ボックス４２とが当接する部分周辺が略矩形状に穿設された凹部２０ｆが形成されている。この凹部２０ｆには、第２基板ボックス４２から突設された突出片４２ｂが配置されており、その突出片４２ｂは、背面視において第１基板ボックス４１の背面視右側（図４（ａ）の右側）端部に重なって配置されている。このため、第２基板ボックス４２の背面側（図４（ａ）の紙面垂直方向手前側）への揺動は、突出片４２ｂが第１基板ボックス４１の奥側（図４（ａ）の紙面垂直方向奥側）に係合することにより阻止されている。第１基板ボックス４１と突出片４２ｂとが重ならない位置、即ち第１基板ボックス４１が突出片４２ｂの移動軌跡上から外れた位置に移動することにより、第２基板ボックス４２が背面側へ揺動可能な状態となり、機構板２０から第２基板ボックス４２を離脱可能な状態とすることができる。
【００５６】
機構板２０のレール２０ｃは、前述したように、第１基板ボックス４１を左側に向けてスライド移動可能に支持しており、その支持する区間は、図４（ａ）に示す第１基板ボックス４１の取付位置から、第１基板ボックス４１の突部４１ａの右端がレール２０ｃの左端に位置するまでの距離Ｌ１で示した区間である。一方、第１基板ボックス４１と第２基板ボックス４２の突出片４２ｂとは、左右方向に沿って、距離Ｌ１より短い長さ（突出長さ）Ｌ２の重なりを持たせて配置されている。即ち、第１基板ボックス４１が第２基板ボックス４２の突出片４２ｂの移動軌跡内に突出長さＬ２分だけ突出して配置されているのである。
【００５７】
ここで、第２基板ボックス４２のみを機構板２０から取出する必要がある場合には、鍵ユニット３０を機構板２０から取出した後、距離Ｌ１より短く、且つ、突出長さＬ２より長い距離Ｌ３分だけ第１基板ボックス４１を取付位置から左方にスライド移動する（図５（ａ）参照）。このスライド移動により、第１基板ボックス４１がレール２０ｃに支持された状態を維持しつつ、第２基板ボックス４２の突出片４２ｂの移動軌跡上から外れた位置に第１基板ボックス４１を配置することができる。よって、第２基板ボックス４２のみを取出しようとする際にわざわざ第１基板ボックス４１を機構板２０から取出する必要がなく、第２基板ボックス４２の取出時における作業性を向上することができる。
【００５８】
次に、図４を参照して、第３基板ボックス４３及び第４基板ボックス４４が機構板２０に固定される構造について説明する。第３基板ボックス４３は、第１基板ボックス４１に収容される主制御基板が出力する制御用コマンドに基づいてＬＣＤ１０に表示される図柄の変動表示の制御を行う表示用制御基板を内部に収容するために背面視略矩形状の箱状に形成されている。また、第４基板ボックス４４は、第３基板ボックス４４に対して上下反転した対称形状に形成されている。この第４基板ボックス４４の内部には、第３基板ボックスに収容される表示用制御基板によって出力される制御用コマンドに基づいてスピーカから出力される効果音や各種ランプの点灯制御を行う音声及びランプ制御基板が配設されている。
【００５９】
第３基板ボックス４３の上端部には、図４（ａ）に示すように、左右２箇所に上方に突出した係合軸４３ａが設けられている。係合軸４３ａは、円形断面を有してパチンコ機１の左右方向に沿って延設された軸の左側端部のみが第３基板ボックス４３の本体に接続されている。機構板２０には、パチンコ機１の背面側に向けて突出して形成されると共に、その係合軸４３ａに隙間を設けて嵌合される円筒状の係合筒部２０ｆが設けられており、その係合筒部２０ｆに第３基板ボックス４３の係合軸４３ａが挿通されている。この係合軸４３ａと係合筒部２０ｆとは、第３基板ボックス４３を機構板２０に対して揺動可能に、且つ、左方にスライド可能に支持させるための部位である。
【００６０】
第３基板ボックス４３の係合軸４３ａは、係合筒部２０ｆに外周を支持されており、第３基板ボックス４３は、機構板２０に対して係合軸４３ａを支点としてパチンコ機１の背面上方側へ揺動可能に支持されている。また、第３基板ボックス４３の係合軸４３ａは、その左側端部のみが第３基板ボックス４３の本体に接続されており、右方へ突出した軸により係合筒部２０ｆに支持されている。このため、第３基板ボックス４３は、係合筒部２０ｆの内方へ係合軸４３ａが挿通された量分だけ左方へスライド可能に支持されている。係合筒部２０ｆから係合軸４３ａが抜き出されると、第３基板ボックス４３と機構板２０との係合状態が解除されて、第３基板ボックス４３は、機構板２０から離脱して取出される。
【００６１】
第３基板ボックス４３の背面視下側には、第２基板ボックス４２の裏面側（図４（ａ）の紙面垂直方向奥側）に平板状に形成された横板部４３ｂ１と、第１基板ボックス４１と第２基板ボックス４２とに挟まれた間隙に形成された縦板部４３ｂ２とで構成される突出片４３ｂが設けられている。この突出片４３ｂは、鍵ユニット３０に施錠された状態における第１基板ボックス４１と、その第１基板ボックス４１に取出方向側への移動が阻止された第２基板ボックス４２とに係合して、第３基板ボックス４３の移動を阻止させるための部位である。
【００６２】
第３基板ボックス４３は、図４（ａ）に示すように、その取付位置に取着された状態では、突出片４３ｂの横板部４３ｂ１が第２基板ボックス４３の裏面側（図４（ａ）の紙面垂直方向奥側）に配設されている。このため、第３基板ボックス４３は、パチンコ機１の背面上方側への揺動時における移動軌跡内に第２基板ボックス４２が突出しており、第２基板ボックスに係合して揺動方向側への移動が阻止されている。また、第３基板ボックス４３は、係合軸４３ａと係合筒部２０ｆとによって取付位置から左方へスライド移動可能に支持されているものの、縦板部４３ｂ２の左側に隣接する第１基板ボックス４１によってそのスライド移動が阻止されている。よって、第１基板ボックス４１と第２基板ボックス４２との少なくとも一方を取付位置から移動しなければ第３基板ボックス４３は、取付位置から移動不能となっており、第１基板ボックス４１と第２基板ボックス４２との移動を規制するために施錠して固定された鍵ユニット３０によって第３基板ボックス４３の取出が規制された状態となっている。
【００６３】
第３基板ボックス４３の突出片４３ｂは、機構板２０に穿設された凹部２０ｆ内に配設されており、その突出片４３ｂの左右方向に沿った長さＬ４は、第２基板ボックス４２の左端と機構板の凹部２０ｆの左端との距離Ｌ５より短く設定されている。このため、鍵ユニット３０が取出されて第１基板ボックス４１の移動規制が解除された場合に、第３基板ボックス４３を左方へ押圧しつつ移動させると、突出片４３ｂを介して第１基板ボックス４１が左方に移動させられ、突出片４３ｂの左端が機構板２０の凹部２０ｆ左端に当接するまで移動する。この移動後には、第３基板ボックス４３の突出片４３ｂの右端が第２基板ボックス４２の左端より左側に配置され、第２基板ボックス４２による第３基板ボックス４３の揺動方向側への移動の阻止が解除され（図６参照）、第３基板ボックス４３は、第２基板ボックス４２を取付位置に残したままで機構板２０から取出することができる。
【００６４】
第３基板ボックス４３の背面視右側端部には、図４（ａ）に示すように、右方に半円状に突出した部位が設けられており、その略中央部に機構板２０と第３基板ボックス４３とを連結するためのラッチ（留め具）４３ｃが設けられている。ラッチ４３ｃは、機構板２０側に向けて２つの部材が隙間を設けて突設されると共に、機構板２０側の先端部が広幅に形成され、機構板２０に形成される図示しない穴の中に撓みつつ嵌合されるものである。このラッチ４３ｃは、パチンコ機１の背面側に設けられるカバーや、機構板２０と前面枠２との固定に一般的に使用される部材と同一のものである。このラッチ４３ｃによって、第１基板ボックス４１と第２基板ボックス４２とが取り外された後にも第３基板ボックス４３は、取付位置に固定された状態に維持される。
【００６５】
第４基板ボックス４４は、前述したように第３基板ボックス４３を上下反転した対称形状に形成されており、第３基板ボックス４３の係合軸４３ａ、突出片４３ｂ及びラッチ４３ｃと同一形状（対称形状）に形成された係合軸４４ａ、突出片４４ｂ及びラッチ４４ｃを備えている。第４基板ボックス４４の係合軸４４ａは、機構板２０から突設された係合筒部２０ｇに挿通されている。また、第４基板ボックス４４に対する第１基板ボックス４１及び第２基板ボックス４２の相対位置は、第３基板ボックス４３に対する各基板ボックス４１，４２の相対位置を上下反転した同一のものとなっている。
【００６６】
ここで、第４基板ボックス４４は、その係合軸４４ａが機構板２０に設けられた係合筒部２０ｇに軸支されることにより、機構板２０に対して背面下方側に向けて揺動可能に支持されている。このため、第４基板ボックス４４は、パチンコ機１の下側に回転軸が設けられ、第４基板ボックス４４の自重によって背面側に傾倒し易い状態となっている。しかし、第４基板ボックス４４は、第２基板ボックス４２による揺動方向側への移動阻止が解除されてもラッチ４４ｃによってその揺動が規制されており、第４基板ボックス４４が取付位置に配置された状態が維持される。よって、基板ボックスが回転して他の部材に衝突することを未然に防止することができ、第４基板ボックス４４に不用意な衝撃力が加えられず、その内部に収容される制御基板の破損を防止することができる。
【００６７】
次に、図４及び図５を参照して、鍵ユニット３０によって機構板２０（パチンコ機１）からの取出が規制された第２基板ボックスを取出する作業について説明する。図５（ａ）は、図４（ａ）に示す状態から鍵ユニット３０が取出されると共に、第１基板ボックス４１及び第２基板ボックス４２が取付位置から移動した状態を示した背面図であり、図５（ｂ）は、図５（ａ）のＶｂ−Ｖｂ線における断面図である。なお、図面の理解を容易にするために、図５においては各基板ボックス４１〜４４間を電気的に接続して情報等を伝達するケーブルを省略して示し、又、図５（ｂ）においては基板ボックス４１，４２の外形のみを示して基板ボックス４１，４２の開閉構造やその内部に収容される制御基板を省略して示している。
【００６８】
第２基板ボックス４２を機構板２０から取出する場合には、作業者は、第１基板ボックス４１の取出作業時と同様に、専用鍵Ｋを操作して鍵ユニット３０を機構板２０から取出し、更に第１基板ボックス４１を左方にスライド移動する。
【００６９】
このとき、第１基板ボックス４１を、第２基板ボックス４２と共に取出する必要がある場合には、第１基板ボックス４１の突部４１ａと機構板２０のレール２０ｃとの係合が解除される距離Ｌ１分、第１基板ボックス４１を取付位置から左方にスライド移動して、第１基板ボックスを機構板２０から離脱して取出する。一方、第２基板ボックス４２のみを機構板２０から取出する場合には、距離Ｌ１より短く、且つ、第１基板ボックス４１が第２基板ボックス４２の突出片４２ｂの移動軌跡内に突出する突出長さＬ２より長い距離Ｌ３分（図５（ａ）参照）、第１基板ボックス４１を左方にスライド移動する。突出長さＬ２より長い距離Ｌ３分のスライド移動によって、第２基板ボックス４２の突出片４２ｂの移動軌跡上から外れた位置に第１基板ボックス４１が移動し、第２基板ボックス４２は、パチンコ機１の背面側に揺動可能な状態となる。その後、作業者は、この第２基板ボックス４２をパチンコ機１の背面側に揺動し、第２基板ボックス４２の係合片４２ａと機構板２０の揺動軸２０ｂとの係合を解除して、第２基板ボックス４２をパチンコ機１から取出する。
【００７０】
次に、図４及び図６を参照して、鍵ユニット３０によって機構板２０（パチンコ機１）からの取出が規制された第３基板ボックス４３を取出する作業について説明する。図６（ａ）は、図４（ａ）に示す状態から鍵ユニット３０が取出されると共に第１基板ボックス４１及び第３基板ボックス４３が取付位置から移動した状態を示した背面図であり、図６（ｂ）は、図６（ａ）の矢印ＶＩｂ方向から見た機構板２０と基板ボックス４１〜４４とを示した図である。なお、図面の理解を容易にするために、図６においては各基板ボックス４１〜４４間を電気的に接続して情報等を伝達するケーブルを省略して示し、図６（ｂ）においては機構板２０を断面視して示している。また、第４基板ボックス４４を機構板２０から取出する作業については、第３基板ボックス４３を機構板２０から取出する作業と同一であるので、その説明を省略する。
【００７１】
第３基板ボックス４３を機構板２０から取出する場合には、図４（ａ）に示す状態から、まず、鍵ユニット３０を機構板２０から取出し、第１基板ボックス４１を左方にスライド移動可能な状態とする。その後、第３基板ボックス４３のラッチ４３ｃを手前側（図４の紙面垂直方向手前側）に引き出して、ラッチ４３ｃによる機構板２０と第３基板ボックスとの連結を解除し、第３基板ボックス４３を左方に押圧しつつスライド移動する。第３基板ボックス４３は、突出片４３ｂを介して第１基板ボックス４１を左方にスライド移動させつつ、左方に移動され、突出片４３ｂの左端が機構板２０の凹部２０ｆ左端に当接して停止する。
【００７２】
第３基板ボックス４３の突出片４３ｂ左端が、機構板２０の凹部２０ｆ左端に当接すると、第３基板ボックス４３の突出片４３ｂは、第２基板ボックス４２との係合が解除される。作業者は、第２基板ボックス４２との係合が解除された第３基板ボックス４３を背面上方側に向けて揺動して（図６（ａ）の状態）、第３基板ボックス４３の突出片４３ｂが、図６（ｂ）に示すパチンコ機１の側面視において、第１基板ボックス４１に重ならない位置まで移動し、その移動後に背面視左方へ第３基板ボックス４３を移動する。第３基板ボックス４３は、その係合軸４３ａと機構板２０の係合筒部２０ｆとの係合が解除されて、機構板２０から取出される。
【００７３】
このように、第３基板ボックス４３を機構板２０から取出する場合に取付位置からの移動が必要な第１基板ボックス４１は、第３基板ボックスの移動軌跡外に配置される位置より更に左方に移動されるまでレール２０ｃによって支持されるので、第１基板ボックス４１を機構板２０に係合して連結された状態で、第３基板ボックス４３のみを機構板２０から取出することができる。また、第３基板ボックス４３は、第１基板ボックス４１と同様に、背面視左方、即ち、外枠１ａに対して前面枠２を開放した場合に大きく開口する側にスライド移動して機構板２０から取出することができ、第３基板ボックス４３の取出時における作業性を向上することができる。なお、第３基板ボックス４３は、図４（ａ）に示す状態において、第２基板ボックス４２に係合してその揺動方向側への移動が規制されているので、第２基板ボックス４２を機構板２０から取出した後に、第２基板ボックス４２側へ第３基板ボックス４３を揺動して、機構板２０から第３基板ボックス４２を取出しても良い。
【００７４】
次に、第１〜第４基板ボックス４１〜４４を機構板２０に取着すると共に、鍵ユニット３０を使用して各基板ボックス４１〜４４の取出を規制する作業について説明する。取出された状態の第１〜第４基板ボックス４１〜４４を機構板２０に取着する場合には、まず、第３，第４基板ボックス４３，４４を取着する。具体的には、第３，第４基板ボックス４３，４４の係合軸４３ａ，４４ａを機構板２０の係合筒部２０ｆ，２０ｇに挿通させて第３，第４基板ボックス４３，４４と機構板２０とを係合し、各基板ボックス４３，４４の取付位置まで移動した後に、ラッチ４３ｃ，４４ｃを押圧操作して第３，第４基板ボックス４３，４４と機構板２０とを連結させる。
【００７５】
その後、第２基板ボックス４２の係合片４２ａと機構板２０の揺動軸２０ｂとを係合してから機構板２０側に第２基板ボックス４２を揺動させて第２基板ボックス４２を取付位置に配置する。その後は、第１基板ボックス４１の施錠時と同様に、第１基板ボックス４１を取付位置に配置した後で、鍵ユニット３０を機構板２０に施錠して固定し、図４（ａ）に示す状態とする。
【００７６】
図４（ａ）に示す状態になると、第３，第４基板ボックス４３，４４は、第１基板ボックス４１と第２基板ボックス４２とに各突出片４３ｂ，４４ｂが係合して、スライド移動及び揺動が阻止された状態で取付位置に固定される。また、第２基板ボックス４２は、その突出片４２ｂが第１基板ボックス４１に係合して揺動が阻止された状態で取付位置に固定され、第１基板ボックス４１は、鍵ユニット３０に左方へのスライド移動が阻止された状態で取付位置に固定される。よって、図４（ａ）に示す状態においては、鍵ユニット３０を解錠操作しない限り、第１〜第４基板ボックス４１〜４４のいずれも機構板２０から取出することができず、第１〜第４基板ボックス４１〜４４は、機構板２０からの取出が規制された状態で機構板２０に取着される。
【００７７】
このように、鍵ユニット３０によってスライド移動が規制された第１基板ボックス４１には、第２〜第４基板ボックス４２〜４４の突出片４２ｂ〜４４ｂが係合され、その係合によって第２〜第４基板ボックス４２〜４４を取出するためのスライド移動及び揺動が阻止される。このため、共通の鍵ユニット３０を使用して、第１〜第４基板ボックス４１〜４４の取出方向側への移動が阻止された状態を形成することができ、１の鍵ユニット３０で複数の基板ボックス４１〜４４に対する機構板２０からの取出を規制することができる。ここで、機構板２０は、パチンコ機１の背面側に設けられ、多数の構成部品を連結支持してパチンコ機１本体を形成する部材であり、この機構板２０には、取出が規制された状態で基板ボックス４１〜４４を取着することにより、不正を目的とする各基板ボックス４１〜４４の交換を抑制することができる。なお、取出が規制された状態で機構板２０に基板ボックス４１〜４４が取着されるとは、機構板２０の所定位置に配設される基板ボックス４１〜４４が専用鍵Ｋなどの特定の操作部材による操作がなければ取出不能な状態であることを表すものである。
【００７８】
また、１の鍵ユニット３０を施錠することにより、第１〜第４基板ボックス４１〜４４は、機構板２０からの取出が規制されるので、第１基板ボックス４１に係合する鍵ユニット３０の施解錠の操作を行うことにより、第２〜第４基板ボックス４２〜４４の取出の規制とその規制の解除とを行うことができる。ここで、複数の基板ボックスを個別に複数の鍵ユニットで施錠して固定すると、各制御基板の点検時や修理時には、複数の鍵ユニットを解錠（又は施錠）しなければ複数の基板ボックスを取出（又は取着）することができず、複数の基板ボックスに対する着脱時の作業性が大幅に低下してしまう。これに対し、パチンコ機１によれば、第１基板ボックス４１に係合する鍵ユニット３０の施解錠の操作を行うことにより、第２〜第４基板ボックス４２〜４４に対して、機構板２０からの取出の規制とその規制の解除とを行うことができるので、施解錠の操作を簡略化して複数の基板ボックス４１〜４４に対する着脱時の作業性を向上することができる。
【００７９】
更に、第２〜第４基板ボックス４２〜４４は、第１基板ボックス４１に係合して自己の取出方向側への移動が阻止されるので、鍵ユニット３０と第２〜第４基板ボックス４２〜４４とが係合するように両部材を近付けて配置する必要はなく、第１基板ボックス４１に係合する位置に第２〜第４基板ボックス４２〜４４を配置しても良い。一般にシリンダ錠などの施錠装置（鍵ユニット）は、基板ボックスに比べて小形であるので、複数の基板ボックスを１の鍵ユニットに係合させて取出方向側への移動を阻止することは困難である。これに対し第２〜第４基板ボックス４２〜４４を第１基板ボックス４１に係合してその取出方向側への移動を阻止することにより第２〜第４基板ボックス４２〜４４の配置を容易にして、複数の基板ボックス４１〜４４のレイアウトの自由度を高めることができる。
【００８０】
しかも、専用鍵Ｋによる操作に応じて作動する鍵ユニット３０の可動片３１は、鍵ユニット３０を機構板２０から離脱不能な施錠状態（第１態様）と離脱可能な解錠状態（第２態様）とを選択的に形成するので、機構板２０から離脱不能な鍵ユニット３０を、専用鍵Ｋを操作して離脱可能な状態に簡易に切り替えることができる。よって、パチンコ機１の廃棄時には、パチンコ機１から鍵ユニット３０を容易に取出してリサイクルすることができ、１の鍵ユニット３０を複数のパチンコ機１に繰り返して使用して鍵ユニット３０に要するコストを低減することができる。
【００８１】
以上、実施例に基づき本発明を説明したが、本発明は上記実施例に何ら限定されるものではなく、本発明の趣旨を逸脱しない範囲内で種々の変形改良が可能であることは容易に推察できるものである。
【００８２】
上記実施例においては、鍵ユニット３０に係合する第１基板ボックス４１は、機構板２０に設けられたレール２０ｃによってスライド移動可能に支持すると共に、第２基板ボックス４２を機構板２０に対して揺動可能に支持し、第３，第４基板ボックス４３，４４を機構板２０に対してスライド移動と揺動とを可能に構成したが、必ずしも実施例の移動支持形態に限定されず、鍵ユニット３０に係合する第１基板ボックスを揺動可能に支持したり、第１基板ボックスに係合される第２基板ボックスをスライド移動可能に支持するなど、各基板ボックスを上記実施例とは異なる方向に可動可能に支持しても良い。
【００８３】
また、上記実施例においては、鍵ユニット３０によって取出が規制される基板ボックスの数が４つであったが、必ずしも４つに限定されず、２つ、３つ、或いは、５つ以上の基板ボックスの取出を１の鍵ユニット３０で規制しても良い。この場合には、必ずしも第１基板ボックス４１に他の全ての基板ボックスを係合して基板ボックスの移動を阻止する必要はない。例えば、第１基板ボックス４１に支持される第２基板ボックス４２に、追加して設置する基板ボックスが係合するように支持し、第２基板ボックスを移動した場合に取出可能となるように基板ボックスを設けるなど、第１基板ボックスに支持される基板ボックスによって基板ボックスの移動を阻止しても良い。また、必ずしもパチンコ機１に取着される全ての基板ボックスの取出を鍵ユニット３０で規制する必要はなく、主制御基板と払出制御基板とを収容する基板ボックスのみを鍵ユニット３０で規制するなど、取出の規制が必要な基板ボックスのみを鍵ユニットで規制しても良い。
【００８４】
更に、上記実施例において、各基板ボックス４１〜４４ごとに別々に収容した各制御基板は、必ずしも上記実施例と同一の組み合わせで収容する必要はない。例えば、第１基板ボックス４１に表示用制御基板を収容したり、第４基板ボックス４４に主制御基板を収容する等、配置位置に応じて各基板ボックスには、いずれの制御基板を収容しても良い。
【００８５】
本発明を上記実施例とは異なるタイプの遊技機に実施しても良い。例えば、アレパチ、雀球、いわゆるパチンコ機とスロットマシンとが融合した遊技機などの各種遊技機として実施するようにしても良い。
【００８６】
なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の図柄からなる図柄列を変動表示した後に図柄を確定表示する可変表示手段を備え、始動用操作手段（例えば操作レバー）の操作に起因して図柄の変動が開始され、停止用操作手段（例えばストップボタン）の操作に起因して、或いは、所定時間経過することにより、図柄の変動が停止され、その停止時の確定図柄が特定図柄であることを必要条件として、遊技者に有利な特別遊技状態を発生させる特別遊技状態発生手段とを備えたスロットマシン」となり、この場合、遊技媒体はコイン、メダル等が代表例として挙げられる。
【００８７】
なお、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に有利な大当たり状態が発生させられ、遊技者には、下部の受皿に多量の球が払い出されるものである。
【００８８】
以下に変形例を示す。遊技に関する制御を行う制御基板を内部に収容するために箱状に形成されると共に遊技機本体に対して着脱自在に取着された複数の基板ボックスと、基板ボックスを遊技機本体に施錠して固定するものであって特定の操作部材による操作に応じて施錠状態と解錠状態とを切り替える施錠装置とを備え、前記複数の基板ボックスは、その施錠装置によって遊技機本体に施錠して固定される第１基板ボックスと、前記施錠装置によって遊技機本体に施錠して固定された状態における前記第１基板ボックスに係合して自己の取出方向側への移動が阻止される少なくとも１以上の第２基板ボックスとを備えていることを特徴とする遊技機０。
遊技機０において、前記施錠装置は、前記特定の操作部材による操作に応じて作動すると共に遊技機本体から離脱不能な第１態様と離脱可能な第２態様とを選択的に形成して施錠状態と解錠状態とを切り替える可動片を有し、その可動片を遊技機本体に係合して遊技機本体の所定位置に取着される鍵ユニットで構成されており、前記第１基板ボックスは、前記第１態様を形成しつつ前記所定位置に取着された前記鍵ユニットに係合して自己の取出方向側への移動が阻止されていることを特徴とする遊技機１。
【００８９】
遊技機１によれば、第２基板ボックスの取出方向側への移動を阻止する第１基板ボックスは、所定位置に取着された鍵ユニットに係合して自己の取出方向側への移動が阻止されているので、鍵ユニットによって第１基板ボックスを遊技機本体に施錠して固定することができる。また、施錠装置としての鍵ユニットは、特定の操作部材による操作に応じて遊技機本体から離脱不能な第１態様と離脱可能な第２態様とを選択的に形成する可動片を有しているので、特定の操作部材を操作して鍵ユニットを遊技機本体から簡易に取出することができ、鍵ユニットのリサイクル性を高めることができる。よって、１の遊技機に鍵ユニットを増設して不正行為に対する防犯性を高めつつ、１の鍵ユニットを繰り返して使用することによりその増設によるコストの増加を抑制することができる。
【００９０】
遊技機１において、前記第１基板ボックスと前記少なくとも１以上の第２基板ボックスとのそれぞれを、各基板ボックス毎に予め定められた取付位置から予め定められた経路に沿って移動可能に支持する支持手段を備え、前記鍵ユニットは、前記第１態様を形成しつつその所定位置に取着された状態で、前記支持手段によって移動可能に支持された前記第１基板ボックスの移動軌跡内に突出して配設されており、前記第１基板ボックスは、その取付位置に取着された状態から前記支持手段によって支持されつつ移動可能な移動軌跡内に突出して配設された前記鍵ユニットに係合して自己の取出方向側への移動が阻止される一方、前記鍵ユニットが遊技機本体から取出された場合に自己の取出方向側への移動の阻止が解除されて遊技機本体から取出されると共に、前記取付位置に取着された状態で前記支持手段によって移動可能に支持された前記少なくとも１以上の第２基板ボックスの移動軌跡内に突出して配設されており、前記少なくとも１以上の第２基板ボックスは、それぞれの取付位置に取着された状態から前記支持部材に支持されつつ移動可能な移動軌跡内に突出して配設された前記第１基板ボックスに係合して自己の取出方向側への移動が阻止される一方、前記鍵ユニットと前記第１基板ボックスとの係合が解除されて前記第１基板ボックスが一定量以上取出方向側へ移動した場合に自己の取出方向側への移動の阻止が解除され遊技機本体から取出されるものであることを特徴とする遊技機２。
【００９１】
遊技機２によれば、第１基板ボックスと第２基板ボックスとのそれぞれは、支持手段によって予め定められた取付位置から予め定めた経路に沿って移動可能に支持されるので、各基板ボックスの移動方向を限定することができる。このため、その限定された移動方向に沿った移動軌跡内に相手部品を突出させることにより、鍵ユニットと第１基板ボックスとの係合及びその係合解除、並びに、第１基板ボックスと第２基板ボックスとの係合及びその係合解除を簡易且つ確実に行わせることができる。
【００９２】
なお、遊技機２において、移動軌跡内に突出して配設されるとは、必ずしも部分的に突出して形成された部位が移動軌跡内に配設された場合に限定されず、外形の一部分が移動軌跡内に侵入して配設された場合をも含む趣旨である。また、各基板ボックス毎に予め定めた取付位置から予め定めた経路に沿って移動可能に支持する支持手段としては、１の回転軸を中心に基板ボックスを揺動可能に軸支する軸とその軸を巻回して支持する軸受部材とで構成される所謂ヒンジ機構や、基板ボックスの外形の一部に係合するコの字状断面で直線的に延設された係合溝を有し基板ボックスを係合溝の延設方向に沿ってスライド移動可能に支持する所謂スライド機構などが例示される。
【００９３】
遊技機２において、前記支持手段は、前記鍵ユニットが遊技機本体から取出された状態であって、且つ、前記第１基板ボックスが前記取付位置から前記一定量取出方向側へ移動して前記第２基板ボックスの移動軌跡外に位置する第１位置より前記取付位置から大きく移動した第２位置まで前記第１基板ボックスを前記予め定められた方向に沿って移動可能に支持するものであることを特徴とする遊技機３。
【００９４】
遊技機３によれば、第１基板ボックスが第２基板ボックスの移動軌跡外に位置する第１位置に移動された場合には、第１基板ボックスによる第２基板ボックスの移動規制が解除されるので、作業者は、第２基板ボックスを遊技機本体から取出することができる。このとき、第１位置に移動された第１基板ボックスは、第１位置より取付位置から大きく移動した第２位置まで支持手段によって予め定められた経路に沿って移動可能に支持されるので、支持手段を介して第１基板ボックスを遊技機本体に連結させつつ第２基板ボックスのみを遊技機本体から取出することができる。よって、第２基板ボックスのみを取出しようとする際にわざわざ第１基板ボックスを遊技機本体から取り外す必要がなく、第２基板ボックスの取出時における作業性を向上することができる。
【００９５】
遊技機３において、前記支持手段は、前記第１基板ボックス又は遊技機本体の一方に形成され前記第１基板ボックスの移動方向に沿って延設された溝状の係合溝と、前記第１基板ボックス又は遊技機本体の他方に形成され前記係合溝内に突出して嵌合される突部とを備え、その突部と前記係合溝とは、前記第１基板ボックスの移動方向に沿ってその第１基板ボックスが前記第２基板ボックスの移動軌跡内に突出した前記一定量の突出長さより長い区間にわたって前記第１基板ボックスをスライド可能に延設されていることを特徴とする遊技機４。
【００９６】
遊技機４によれば、第１基板ボックス又は遊技機本体の一方には、第１基板ボックスの移動方向に沿って溝状の係合溝が形成されると共に、その係合溝内に突出して嵌合される突部が第１基板ボックス又は遊技機本体の他方に設けられているので、支持手段によって遊技機本体に対して第１基板ボックスをその移動方向に沿ってスライド移動可能に支持することができる。また、支持手段を構成する突部と係合溝とは、第１基板ボックスが第２基板ボックスの移動軌跡内に突出した突出長さより長い区間にわたって第１基板ボックスをスライド可能に延設されているので、第１基板ボックスを第２基板ボックスの移動軌跡外に位置させた後も突部と係合溝との係合状態を維持して、第２基板ボックスのみを取出しようとする際に第１基板ボックスを遊技機本体に係合させておくことができる。
【００９７】
なお、遊技機４において、突部と係合溝とが、突出長さより長い区間にわたって第１基板ボックスをスライド可能に延設されているとは、突部と係合溝とのうちいずれか一方が突出長さより長く延設されていても良く、また、突部と係合溝とのそれぞれは突出長さより短く形成されており突部と係合溝とが延設された長さの総和が突出長さより長くなるように延設されていても良い。
【００９８】
遊技機２から４のいずれかにおいて、遊技機本体の外形に沿って額縁状に形成される外枠と、その外枠に接続されると共にその外枠の一側辺をほぼ中心として遊技機の前面側へ揺動可能に軸支される揺動部材とを備え、前記支持手段は、前記鍵ユニットによって施錠される前記複数の基板ボックスを前記揺動部材の背面側に連結支持すると共に、その複数の基板ボックスのうち少なくとも１以上の基板ボックスを前記揺動部材の回転軸から離間する方向へ向けてスライド移動した場合に前記揺動部材から離脱するように支持するものであることを特徴とする遊技機５。
【００９９】
外枠に対して揺動部材を前面側へ揺動し、揺動部材の背面側に対する作業を施す場合、揺動部材の回転軸から離間した側が大きく開口するので、開口の手前側に対する作業ほど広い作業スペースを確保して容易に作業を行うことができる。遊技機５によれば、複数の基板ボックスのうち少なくとも１以上の基板ボックスは、揺動部材の回転軸から離間した側へ向けてスライド移動した場合に揺動部材から離脱するように支持されているので、作業者には、揺動部材を揺動した際に広い作業スペースを確保可能な回転軸から離間した側へ向けて基板ボックスの取出作業を行わせることができ、基板ボックスの取出時における作業性を向上することができる。
【０１００】
遊技機２から５のいずれかにおいて、遊技機本体の外形に沿って額縁状に形成される外枠と、その外枠に接続されると共にその外枠の一側辺をほぼ中心として遊技機の前面側へ揺動可能に軸支される揺動部材とを備え、前記支持手段は、前記鍵ユニットによって施錠される前記複数の基板ボックスを前記揺動部材の背面側に連結支持すると共に、その複数の基板ボックスのうち少なくとも１以上の基板ボックスを前記揺動部材の回転軸に近接する方向へ向けてスライド移動した場合に前記揺動部材から離脱するように支持するものであることを特徴とする遊技機６。
【０１０１】
外枠に対して揺動部材を前面側へ揺動し、揺動部材の背面側に対する作業を施す場合、揺動部材の回転軸に近接する側は、外枠と揺動部材とによって形成される開口の奥側に位置するために作業がし難いものである。遊技機６によれば、複数の基板ボックスのうち少なくとも１以上の基板ボックスは、揺動部材の回転軸から近接する側へ向けてスライド移動した場合に揺動部材から離脱するように支持されているので、基板ボックスの取出作業が煩雑になり、不正な基板ボックスへの交換を困難にすることができる。
【０１０２】
遊技機２から６のいずれかにおいて、前記支持手段によって遊技機本体に揺動可能に軸支された前記第１基板ボックス又は第２基板ボックスと、遊技機本体とを連結保持してその第１基板ボックス又は第２基板ボックスの揺動方向側への移動を規制する留め具を備え、その留め具は、前記複数の基板ボックスのうち遊技機本体に取着された状態で遊技機の下側に回転軸を設けて軸支された前記第１基板ボックス又は第２基板ボックスに設けられていることを特徴とする遊技機７。遊技機の下側に回転軸が設けられた基板ボックスは、移動を規制する鍵ユニットや基板ボックスが遊技機本体から取り外された場合に、その自重によって回転軸を中心に回転し易い不安定な状態となる。基板ボックスが不用意に回転してしまうと、他の部材にその基板ボックスが衝突し、内部に収容する制御基板が破損することがある。
【０１０３】
遊技機７によれば、基板ボックスの揺動方向側への移動を規制する留め具が、遊技機の下側に回転軸を設けて軸支された基板ボックスに設けられるので、鍵ユニット又は基板ボックスとの係合が解除されて下方に揺動可能となった基板ボックスの回転を留め具で規制して安定した状態とすることができ、基板ボックスが回転して他の部材に衝突することを未然に防止することができる。なお、留め具は、遊技機の下側に回転軸を設けて軸支された第１基板ボックス又は第２基板ボックスの全てに対して設けられても良く、又は、遊技機の下側に回転軸を設けて軸支された第１基板ボックス又は第２基板ボックスのうち一部の基板ボックスに対してのみ設けられても良い。
【０１０４】
遊技機１から７のいずれかにおいて、前記鍵ユニットは、前記可動片によって前記第１態様が形成された状態で前記特定の操作部材の一端部を出入可能に形成された鍵穴を有し前記可動片を作動可能に支持する本体部材と、その本体部材の鍵穴内に前記特定の操作部材の一端部が挿入されつつ前記特定の操作部材の操作に応じて作動する前記可動片によって前記第２態様が形成された場合に前記特定の操作部材の一端部に分離不能に係合する係合部とを備えていることを特徴とする遊技機８。
【０１０５】
遊技機８によれば、鍵ユニットは、遊技機本体から離脱可能な第２態様の形成時（解錠時）に特定の操作部材と分離不能に係合される一方、鍵ユニットが遊技機本体から離脱不能な第１態様を形成して遊技機本体の所定位置に取着された場合（施錠時）に特定の操作部材の一端部が鍵ユニットの鍵穴から抜き出される。よって、作業者には、特定の操作部材に鍵ユニットが係合されているか否かに基づいて鍵ユニットの施解錠の状態を確認させることができ、施錠のし忘れを低減して遊技機に対する不正行為を抑制することができる。また、第２態様を形成して遊技機本体から離脱可能となった鍵ユニットは、係合部によって特定の操作部材と分離不能に係合されるので、特定の操作部材を操作して差込口から鍵ユニットを簡易に取出することができる。このため、遊技機を廃棄する際に鍵ユニットを遊技機から簡易に取り外し、その取り外した鍵ユニットは、鍵ユニットを取着可能な他の遊技機に簡易に取着して再利用（リサイクル）することができる。
【０１０６】
遊技機８において、前記本体部材は、筒状に形成されると共にその一端側に前記鍵穴を有し、その他端側に前記特定の操作部材の差込方向に沿った回転軸を中心に前記可動片を回動可能に軸支するものであり、前記可動片は、前記本体部材に隣接して配設されると共にその隣接する本体部材の一部分と略同一の外周面形状に形成されるものであり、前記可動片とその可動片に隣接する本体部材の一部分の外周面形状は、前記可動片の回転軸に対して径方向に突出した外周面を形成する第１外周面とその第１外周面より回転軸に近接した外周面を形成する第２外周面とを備えていることを特徴とする遊技機９。
【０１０７】
遊技機９によれば、遊技機本体に、可動片とその可動片に隣接する本体部材の外周面に嵌合可能に形成されて鍵ユニットを取着するための差込口が形成されている場合、可動片の回転軸方向に沿って可動片と本体部材とが連続した断面形状を形成しているときには、本体部材の外周面から可動片が突出しない状態となる。よって、可動片によって鍵ユニットを遊技機本体から離脱可能な第２態様を形成し、差込口に鍵ユニットを挿入可能、且つ、離脱可能な状態とすることができる。
【０１０８】
一方、特定の操作部材による操作によって本体部材に対して可動片が回動し、可動片の外周面を形成する第１外周面が、本体部材の外周面を形成する第２外周面の位置に隣接して配置されると、本体部材の第２外周面から可動片の第１外周面が突出した状態となる。差込口に可動片と本体部材の一部分とが差し込まれた状態で、その差込口内において本体部材の第２外周面から可動片の第１外周面が突出すると、可動片の第１外周面が差込口に係合して取出方向側への移動が規制される。よって、可動片によって鍵ユニットを遊技機本体から離脱不能な第１態様を形成し、差込口内に取着した状態で鍵ユニットを固定することができる。
【０１０９】
遊技機１から９のいずれかにおいて、前記鍵ユニットが前記第２態様を形成する場合にその鍵ユニットの可動片を差込可能に形成された差込口と、その差込口に差し込まれた状態における前記鍵ユニットの差込方向側に対峙する対峙面と、前記差込口に差し込まれた状態における前記鍵ユニットの可動片が前記第１態様を形成する場合にその可動片に係合して前記鍵ユニットの取出方向側への移動を規制する規制部とを備え、前記鍵ユニットは、前記差込口に差し込まれつつ前記第１態様を形成して遊技機本体の所定位置に取着されるものであることを特徴とする遊技機１０。遊技機１０によれば、鍵ユニットが差込口に差し込まれた状態で第１態様が形成されると、その差込方向側への移動が対峙面に規制されると共に、鍵ユニットの取出方向側への移動が規制部に規制されるので、鍵ユニットは差込口内に固定される。一方、鍵ユニットが差込口に差し込まれた状態で第２態様が形成された場合には、可動片と規制部との係合が解除されて鍵ユニットを差込口から取出される。
【０１１０】
遊技機０から１０のいずれかにおいて、前記遊技機はパチンコ機であることを特徴とする遊技機１１。中でも、パチンコ機の基本構成としては操作ハンドルを備え、その操作ハンドルの操作に応じて球を所定の遊技領域へ発射し、球が遊技領域内の所定の位置に配設された作動口に入賞（又は作動ゲートを通過）することを必要条件として、表示装置において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０１１１】
遊技機０から１０のいずれかにおいて、前記遊技機はスロットマシンであることを特徴とする遊技機１２。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０１１２】
遊技機０から１０のいずれかにおいて、前記遊技機はパチンコ機とスロットマシンとを融合させたものであることを特徴とする遊技機１３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
【図面の簡単な説明】
【図１】  本発明の実施例におけるパチンコ機の正面図である。
【図２】  パチンコ機の背面図である。
【図３】  （ａ）は、施錠状態における鍵ユニットの斜視図であり、（ｂ）は、解錠状態における鍵ユニットの斜視図である。
【図４】  （ａ）は、基板カバーが開放された状態における鍵ユニットと基板ボックスとを示した背面図であり、（ｂ）は、図４（ａ）のＩＶｂ−ＩＶｂ線における断面図である。
【図５】  （ａ）は、図４（ａ）に示す状態から鍵ユニットが取出されると共に、第１基板ボックス及び第２基板ボックスが取付位置から移動した状態を示した背面図であり、（ｂ）は、図５（ａ）のＶｂ−Ｖｂ線における断面図である。
【図６】  （ａ）は、図４（ａ）に示す状態から鍵ユニットが取出されると共に第１基板ボックス及び第３基板ボックスが取付位置から移動した状態を示した背面図であり、（ｂ）は、図６（ａ）の矢印ＶＩｂ方向から見た機構板と基板ボックスとを示した側面図である。
【符号の説明】
１                    パチンコ機（遊技機）
３０                  鍵ユニット（施錠装置）
４１                  第１基板ボックス
４２，４３，４４      第２〜第４基板ボックス（第２基板ボックス）
Ｋ                    専用鍵（操作部材）